【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
患者における組織部位の治療用減圧治療システムにおいて、前記システムが、
前記組織部位に近接して配置されるマニホルドと、
前記マニホルド及び前記患者の表皮の一部分を覆って流体シールを形成する調節自在な被覆材と、
前記調節自在な被覆材を介して減圧を供給するための、前記調節自在な被覆材に連結される減圧インタフェースと、
前記減圧インタフェースに流体連結される減圧源と、
を含み、及び
前記調節自在な被覆材が、
第１の開始縁部と第２の開始縁部とを有し、且つ第１の側面と第２の患者側に向く側面とを有するドレープ部材と、
前記ドレープ部材に形成された複数の非漏出性破断経路であって、各非漏出性破断経路が、前記ドレープの破断を容易にする前記ドレープ部材の弱化経路を含む、複数の非漏出性破断経路と、
第１の複数の破断開始点であって、前記第１の複数の破断開始点の各破断開始点が前記複数の非漏出性破断経路の一つと整列し、及び前記第１の複数の破断開始点の各々が、前記複数の非漏出性破断経路の一つに沿った破断の開始を容易にするように構成される、第１の複数の破断開始点と、
を含むことを特徴とするシステム。
【請求項２】
請求項１に記載のシステムにおいて、前記調節自在な被覆材が、前記ドレープ部材の前記第２の患者側に向く側面に剥離可能に結合される裏張り材層をさらに含み、前記ドレープ部材が第１の方向にドレープ布目を有し、且つ前記裏張り材層が同様に前記第１の方向に裏張り材布目を有することを特徴とするシステム。
【請求項３】
請求項１に記載のシステムにおいて、前記調節自在な被覆材が、前記ドレープ部材の前記第１の側面に剥離可能に結合される支持材層をさらに含み、前記ドレープ部材が第１の方向にドレープ布目を有し、且つ前記支持材層が同様に前記第１の方向に支持材布目を有することを特徴とするシステム。
【請求項４】
請求項１に記載のシステムにおいて、前記調節自在な被覆材が、前記ドレープ部材の前記第２の患者側に向く側面に剥離可能に結合される裏張り材層と；前記ドレープ部材の前記第１の側面に剥離可能に結合される支持材層とをさらに含み；及び前記ドレープ部材が第１の方向にドレープ布目を有し、前記裏張り材層が同様に前記第１の方向に裏張り材布目を有し、且つ前記支持材層が同様に前記第１の方向に支持材布目を有することを特徴とするシステム。
【請求項５】
請求項１に記載のシステムにおいて、前記複数の非漏出性破断経路が、局部延伸により形成された複数の弱化材料経路を含むことを特徴とするシステム。
【請求項６】
請求項１に記載のシステムにおいて、前記ドレープ部材が第１のドレープ層と第２のドレープ層とを含み；前記第１のドレープ層が第１のミシン目穿孔通路を有し、且つ前記第２のドレープ層が第２のミシン目穿孔通路を有し；前記第１のミシン目通路が前記第２のミシン目通路と位置をずらされ；及び前記第１のミシン目穿孔通路と前記第２のミシン目穿孔通路との間の位置ずれの範囲が、前記複数の破断経路のうちの一破断経路を含むことを特徴とするシステム。
【請求項７】
請求項１に記載のシステムにおいて、前記調節自在な被覆材が、前記ドレープ部材の前記第２の開始縁部に形成された第２の複数の破断開始点をさらに含み、前記第２の複数の破断開始点の各々が、前記複数の破断経路のうちの一つの破断経路と整列し、及び前記第２の複数の破断開始点の前記複数の破断開始点の各々が、破断経路に沿った破断の開始を容易にするように構成されることを特徴とするシステム。
【請求項８】
請求項１に記載のシステムにおいて、前記複数の非漏出性破断経路が、複数の直線状の非漏出性破断経路を含むことを特徴とするシステム。
【請求項９】
請求項１に記載のシステムにおいて、前記第１の複数の破断開始点が、前記ドレープ部材の周辺縁部を越えて延在する裏張り材であって、前記裏張り材における破断の開始を容易にするミシン目を有する裏張り材を含み、及び前記ミシン目が、前記非漏出性破断経路と実質的に整列することを特徴とするシステム。
【請求項１０】
請求項１に記載のシステムにおいて、前記調節自在な被覆材が、
前記ドレープ部材の前記第２の患者側に向く側面に剥離可能に結合される裏張り材層と、
前記ドレープ部材の前記第１の側面に剥離可能に結合される支持材層と、
前記ドレープ部材の前記第２の開始縁部に形成された第２の複数の破断開始点であって、前記第２の複数の破断開始点の各々が前記複数の破断経路のうちの一つの破断経路と整列し、及び前記第２の複数の破断開始点の前記複数の破断開始点の各々が、破断経路に沿った破断の開始を容易にするように構成される、第２の複数の破断開始点と、
をさらに含み、
前記ドレープ部材が第１の方向にドレープ布目を有し、前記裏張り材層が同様に前記第１の方向に裏張り材布目を有し、且つ前記支持材層が同様に前記第１の方向に支持材布目を有し、及び
前記複数の非漏出性破断経路が、局部延伸により形成された複数の弱化材料経路を含むことを特徴とするシステム。
【請求項１１】
減圧治療システムと共に使用される調節自在な被覆材において、
第１の開始縁部と第２の開始縁部とを有し、且つ第１の側面と第２の患者側に向く側面とを有するドレープ部材と、
前記ドレープの幅の少なくとも一部分にわたり延在する複数の非漏出性破断経路であって、各非漏出性破断経路が、前記ドレープの破断を容易にする前記ドレープ部材の弱化経路を含む、複数の非漏出性破断経路と、
を含むことを特徴とする調節自在な被覆材。
【請求項１２】
請求項１１に記載の調節自在な被覆材において、前記ドレープ部材の前記第１の開始縁部に形成された第１の複数の破断開始点をさらに含み、前記第１の複数の破断開始点の各破断開始点が、前記第１の開始縁部に形成された陥凹した範囲を含み、且つ前記複数の非漏出性破断経路の一つと整列し、及び前記第１の複数の破断開始点の各々が、前記複数の非漏出性破断経路の一つに沿った破断の開始を容易にするように構成されることを特徴とする調節自在な被覆材。
【請求項１３】
請求項１１又は１２に記載の調節自在な被覆材において、前記ドレープ部材の前記第２の患者側に向く側面に剥離可能に結合される裏張り材層をさらに含み、前記ドレープ部材が第１の方向にドレープ布目を有し、且つ前記裏張り材層が同様に前記第１の方向に裏張り材布目を有することを特徴とする調節自在な被覆材。
【請求項１４】
請求項１１又は１２に記載の調節自在な被覆材において、前記ドレープ部材の前記第１の側面に剥離可能に結合される支持材層をさらに含み、前記ドレープ部材が第１の方向にドレープ布目を有し、且つ前記支持材層が同様に前記第１の方向に支持材布目を有することを特徴とする調節自在な被覆材。
【請求項１５】
請求項１１又は１２に記載の調節自在な被覆材において、前記ドレープ部材の前記第２の患者側に向く側面に剥離可能に結合される裏張り材層と；前記ドレープ部材の前記第１の側面に剥離可能に結合される支持材層とをさらに含み；及び前記ドレープ部材が第１の方向にドレープ布目を有し、前記裏張り材層が同様に前記第１の方向に裏張り材布目を有し、且つ前記支持材層が同様に前記第１の方向に支持材布目を有することを特徴とする調節自在な被覆材。
【請求項１６】
請求項１１又は１２に記載の調節自在な被覆材において、前記複数の非漏出性破断経路が、局部延伸により形成された複数の弱化材料経路を含むことを特徴とする調節自在な被覆材。
【請求項１７】
請求項１１又は１２に記載の調節自在な被覆材において、前記ドレープ部材が第１のドレープ層と第２のドレープ層とを含み；前記第１のドレープ層が第１のミシン目穿孔経路を有し、且つ前記第２のドレープ層が第２のミシン目穿孔経路を有し；前記第１のミシン目経路が前記第２のミシン目経路と位置をずらされ；及び前記第１のミシン目穿孔経路と前記第２のミシン目穿孔経路との位置ずれの範囲が、前記複数の破断経路のうちの一破断経路を含むことを特徴とする調節自在な被覆材。
【請求項１８】
請求項１２に記載の調節自在な被覆材において、前記ドレープ部材の前記第２の開始縁部に形成された第２の複数の破断開始点をさらに含み、前記第２の複数の破断開始点の各々が、前記第２の開始縁部に形成された陥凹した範囲を含み、且つ前記複数の破断経路のうちの一つの破断経路と整列し、及び前記第２の複数の破断開始点の前記複数の破断開始点の各々が、破断経路に沿った破断の開始を容易にするように構成されることを特徴とする調節自在な被覆材。
【請求項１９】
請求項１１又は１２に記載の調節自在な被覆材において、前記複数の非漏出性破断経路が複数の直線状の非漏出性破断経路を含むことを特徴とする調節自在な被覆材。
【請求項２０】
請求項１２に記載の調節自在な被覆材において、
前記ドレープ部材の前記第２の患者側に向く側面に剥離可能に結合される裏張り材層と、
前記ドレープ部材の前記第１の側面に剥離可能に結合される支持材層と、
前記ドレープ部材の前記第２の開始縁部に形成された第２の複数の破断開始点であって、前記第２の複数の破断開始点の各々が前記複数の破断経路のうちの一つの破断経路と整列し、及び前記第２の複数の破断開始点の前記複数の破断開始点の各々が、破断経路に沿った破断の開始を容易にするように構成される、第２の複数の破断開始点と、
をさらに含み、
前記ドレープ部材が第１の方向にドレープ布目を有し、前記裏張り材層が同様に前記第１の方向に裏張り材布目を有し、且つ前記支持材層が同様に前記第１の方向に支持材布目を有し、及び
前記複数の非漏出性破断経路が、局部延伸により形成された複数の弱化材料経路を含むことを特徴とする調節自在な被覆材。
【請求項２１】
減圧治療システムと共に使用される調節自在な被覆材の製造方法であって、
第１の開始縁部と第２の開始縁部とを有し、且つ第１の側面と第２の患者側に向く側面とを有するドレープ部材を形成するステップと、
前記ドレープ部材に複数の非漏出性破断経路を形成するステップにおいて、各非漏出性破断経路が、前記ドレープの破断を容易にする前記ドレープ部材の弱化経路を含む、ステップと、
を含むことを特徴とする方法。
【請求項２２】
請求項２１に記載の方法において、前記ドレープ部材の前記第１の開始縁部に第１の複数の破断開始点を形成するステップをさらに含み、前記第１の複数の破断開始点の各破断開始点が前記複数の非漏出性破断経路の一つと整列し、及び前記第１の複数の破断開始点の各々が、破断経路に沿った破断の開始を容易にするように構成されることを特徴とする方法。
【請求項２３】
請求項２１又は２２に記載の方法において、前記複数の非漏出性破断経路を形成するステップが、前記ドレープ部材に突き当てられる複数のペグを有する工具により、前記弱化経路を画定する肉薄材料の範囲を設けることを含むことを特徴とする方法。
【請求項２４】
請求項２１又は２２に記載の方法において、前記複数の非漏出性破断経路を形成するステップが、経路に沿って前記ドレープ部材に加えられる外部エネルギーにより前記ドレープ部材を弱化させて、それにより前記弱化経路を設けることを含むことを特徴とする方法。
【請求項２５】
請求項２１又は２２に記載の方法において、前記複数の非漏出性破断経路を形成するステップが、前記ドレープ部材に加えられるレーザーエネルギーにより、選択された経路に沿って前記ドレープ部材を弱化させて、それにより前記弱化経路を設けることを含むことを特徴とする方法。
【請求項２６】
請求項２１又は２２に記載の方法において、前記複数の非漏出性破断経路を形成するステップが、前記弱化経路を設ける経路に沿って前記ドレープ部材の一部分を除去することを含むことを特徴とする方法。
【請求項２７】
請求項２１又は２２に記載の方法において、前記複数の非漏出性破断経路を形成するステップが、前記弱化経路を設ける経路に沿って前記ドレープ部材の一部分を除去することを含み；及び前記一部分が超音波アブレーションを使用して除去されることを特徴とする方法。
【請求項２８】
請求項２１又は請求項２２乃至２７の何れか１項に記載の方法において、裏張り材層を前記ドレープ部材の前記第２の患者側に向く側面に剥離可能に結合するステップをさらに含み；前記ドレープ部材が第１の方向にドレープ布目を有し；及び前記裏張り材層が前記第１の方向に裏張り材布目を有して剥離可能に結合されることを特徴とする方法。
【請求項２９】
請求項２１又は請求項２２乃至２７の何れか１項に記載の方法において、支持材層を前記ドレープ部材の前記第１の側面に剥離可能に結合するステップをさらに含み；前記ドレープ部材が第１の方向にドレープ布目を有し；及び前記支持材層が、前記支持材布目を前記第１の方向に剥離可能に結合されることを特徴とする方法。
【請求項３０】
請求項２１又は請求項２２乃至２７の何れか１項に記載の方法において、
裏張り材層を前記ドレープ部材の前記第２の患者側に向く側面に剥離可能に結合するステップと、
支持材層を前記ドレープ部材の前記第１の側面に剥離可能に結合するステップと、
をさらに含み、
前記ドレープ部材がドレープ布目を有し、且つ前記裏張り材層が裏張り材布目を有し、及び
前記支持材層が、前記支持材布目を前記ドレープ布目と平行にして剥離可能に結合され、及び前記裏張り材層が、前記裏張り材布目を前記ドレープ布目と平行にして前記ドレープ部材に剥離可能に結合されることを特徴とする方法。
【請求項３１】
請求項２１又は請求項２２乃至２７の何れか１項に記載の方法において、前記ドレープ部材が第１のドレープ層と第２のドレープ層とを含み；前記複数の非漏出性破断経路を形成するステップが、
前記第１のドレープ層に第１のミシン目穿孔経路を形成することと、
前記第２のドレープ層に第２のミシン目穿孔経路を形成することと、を含み、前記第１のミシン目穿孔経路と前記第２のミシン目穿孔経路とはずれており、及び
前記第１のミシン目穿孔経路と前記第２のミシン目穿孔経路との間の位置ずれの範囲が、前記複数の破断経路のうちの一破断経路を含むことを特徴とする方法。
【請求項３２】
請求項２２又は請求項２２乃至２７の何れか１項に記載の方法において、前記ドレープ部材の前記第２の開始縁部に第２の複数の破断開始点を形成するステップをさらに含み、前記第２の複数の破断開始点の各々が前記複数の非漏出性破断経路のうちの一つの破断経路と整列し、及び前記第２の複数の破断開始点の前記複数の破断開始点の各々が、破断経路に沿った破断の開始を容易にするように構成されることを特徴とする方法。
【請求項３３】
請求項２１又は請求項２２乃至２７の何れか１項に記載の方法において、前記複数の非漏出性破断経路が複数の直線状の非漏出性破断経路を含むことを特徴とする方法。
【請求項３４】
請求項２２に記載の方法において、
裏張り材層を前記ドレープ部材の前記第２の患者側に向く側面に剥離可能に結合するステップと、
支持材層を前記ドレープ部材の前記第１の側面に剥離可能に結合するステップと、
前記ドレープ部材の前記第２の開始縁部に第２の複数の破断開始点を形成するステップにおいて、前記第２の複数の破断開始点の各々が前記複数の非漏出性破断経路のうちの一つの破断経路と整列し、及び前記第２の複数の破断開始点の前記複数の破断開始点の各々が、破断経路に沿った破断の開始を容易にするように構成される、ステップと、
をさらに含み、
前記ドレープ部材が第１の方向にドレープ布目を有し、前記裏張り材層が同様に前記第１の方向に裏張り材布目を有し、且つ前記支持材層が同様に前記第１の方向に支持材布目を有し、及び
前記複数の非漏出性破断経路が、局部延伸により形成された複数の弱化材料経路を含むことを特徴とする方法。